(57)【要約】【課題】ラジアルころ軸受の軸方向の移動を規制することができる軸方向規制部を有するスラストころ軸受の、上記軸方向規制部の径方向の幅寸法の自由度と、保持器の生産性を高めることである。【解決手段】ころ１を保持する保持器２が、環状板部３に複数のポケット５を形成した構成とされ、その環状板部３の内周部に、軸方向に向く第１筒部９と、その第１筒部９の開口端縁に連設された内向きの円板部１０と、その円板部１０の内周縁に連設されて第１筒部９との間で環状溝１２を形成する第２筒部１１とで形成される断面コの字状の軸方向規制部８を設ける。その軸方向規制部８の環状溝１２内にリング状の蓋部材１３を圧入し、その蓋部材１３と軸方向規制部８の円板部１０の双方で、ラジアルころ軸受の軸方向への移動を規制できるようにして、スラストころ軸受の組付け時の方向性をなくし、軸方向規制部８の径方向の幅寸法の自由度を高める。【選択図】図２
2013194778.tif 000002
【特許請求の範囲】
【請求項１】
複数のころと、そのころを保持する保持器とからなり、前記保持器が、断面コの字状の環状屈曲部を有する環状板部に、その環状屈曲部を横切るようにしてころ収容用の複数のポケットを周方向に間隔をおいて形成し、各ポケットの周方向で対向する側面の径方向両端部と中央部のそれぞれにころを抜止めする抜止め爪を設け、前記環状板部の内周部に軸方向規制部を設け、その軸方向規制部が、前記環状板部の内周に連設されて軸方向に向く第１筒部と、その第１筒部の開口端縁に連設された内向きの円板部と、その円板部の内周縁に連設されて前記第１筒部との間で環状溝を形成する第２筒部とからなるスラストころ軸受において、
前記軸方向規制部の環状溝内に、その開口を閉塞する環状の蓋部材を嵌合して抜止めしたことを特徴とするスラストころ軸受。
【請求項２】
前記蓋部材が、断面角形のリングからなる請求項１に記載のスラストころ軸受。
【請求項３】
前記蓋部材が、環状板部の外周と内周のそれぞれに円筒部が設けられた断面コの字形のリングからなる請求項１に記載のスラストころ軸受。
【請求項４】
前記蓋部材が、断面矩形の環状板からなる請求項１に記載のスラストころ軸受。
【請求項５】
前記蓋部材を抜止めする抜止め手段が、前記環状溝内に対する蓋部材の圧入による請求項１乃至４のいずれかの項に記載のスラストころ軸受。
【請求項６】
前記蓋部材を抜止めする抜止め手段が、第２筒部の開口端の、前記環状溝内に向けての加締めによる請求項１乃至４のいずれかの項に記載のスラストころ軸受。
【発明の詳細な説明】
【技術分野】
【０００１】
この発明は、ころを保持する保持器の内周部にラジアルころ軸受等の部品の軸方向の移動を規制する軸方向規制部が設けられたスラストころ軸受に関する。
【背景技術】
【０００２】
図７に示すように、段付き軸２０の小径軸部２１上に回転体２２を設け、その回転体２２のラジアル荷重を小径軸部２１との間に組み込まれたラジアルころ軸受２３で支持し、回転体２２のアキシャル荷重を段付き軸２０の段部２４との間に組み込まれたスラストころ軸受２５で支持するようにした軸受装置においては、普通、スラストころ軸受２５によってラジアルころ軸受２３の軸方向への移動を規制するようにしている。
【０００３】
ここで、ハウジング軌道盤および軸軌道盤を有するスラストころ軸受においては、その軌道盤によってラジアルころ軸受の軸方向への移動を規制することができるが、このような軌道盤付きのスラストころ軸受においては、軸受装置の軸方向長さが長くなり、また、軌道盤ところを保持する保持器間の隙間が狭いため、通油性が良いということはできず、潤滑不良によって発熱する可能性がある。
【０００４】
そのような不都合を解消するため、図７に示すように、ころ２６を保持する保持器２７の内周部にアキシャル方向の規制部２８を設け、その規制部２８でラジアルころ軸受２３の軸方向への移動を規制するようにしたスラストころ軸受が提案されている。
【０００５】
しかし、上記スラストころ軸受においては、保持器２７の内周部に形成された規制部２８が、軸方向に向けて折り曲げられた第１筒部２９と、その第１筒部２９の開口端から内向きに折り曲げられた円板部３０と、その円板部３０の内周から軸方向に向けて折り曲げられた第２筒部３１とからなる構成であるため、スラストころ軸受２５の組付けに際しては、円板部３０がラジアルころ軸受２３と対向するようにして組付ける必要があって、組付けに方向性を有するため、組付けに注意を要するという問題がある。
【０００６】
そのような問題を解決するため、特許文献１では、ころ保持部の内周に形成された内周鍔部に、図７に示すスラストころ軸受の第２筒部に相当する円筒部を設け、その円筒部の両端部に径方向外方に向く第１および第２屈曲部を形成し、その第１および第２屈曲部のそれぞれから径方向外側に向けて延びる壁面を設け、その壁面のそれぞれでラジアルころ軸受の軸方向への移動を規制するようにしたスラストころ軸受を提案している。
【先行技術文献】
【特許文献】
【０００７】
【特許文献１】特開２００８−１４４１４号公報
【発明の概要】
【発明が解決しようとする課題】
【０００８】
ところで、特許文献１に記載されたスラストころ軸受においては、円筒部の曲げ成形後に、その円筒部の開口端部を外径方向に折り曲げて壁面を形成する必要があり、その壁面の先端部には折曲げ片が予め形成されているため、壁面の径方向の幅寸法に制約をうけ、幅寸法の大きな壁面を形成することができない。また、折り曲げによる成形工程においてトラブルが発生する可能性が高いため、生産性も低く、径方向幅寸法の自由度および保持器の生産性の向上を図る上において改善すべき点が残されている。
【０００９】
さらに、壁面の先端部に折曲げ片を有するため、曲げ成形された内周鍔部の内部空間は密閉されたものとはならず、その内部空間内に洗浄液や熱処理での冷却油が浸入し、その浸入した液の漏れによって外表面に汚れが発生するという不都合もある。
【００１０】
この発明の課題は、保持器の内周部にラジアルころ軸受の軸方向の移動を規制する軸方向規制部が設けられたスラストころ軸受の組付け時の方向性をなくす状態で軸方向規制部の径方向の幅寸法の自由度と、保持器の生産性を高めることである。
【課題を解決するための手段】
【００１１】
上記の課題を解決するため、この発明においては、複数のころと、そのころを保持する保持器とからなり、前記保持器が、断面コの字状の環状屈曲部を有する環状板部に、その環状屈曲部を横切るようにしてころ収容用の複数のポケットを周方向に間隔をおいて形成し、各ポケットの周方向で対向する側面の径方向両端部と中央部のそれぞれにころを抜止めする抜止め爪を設け、前記環状板部の内周部に軸方向規制部を設け、その軸方向規制部が、前記環状板部の内周に連設されて軸方向に向く第１筒部と、その第１筒部の開口端縁に連設された内向きの円板部と、その円板部の内周縁に連設されて前記第１筒部との間で環状溝を形成する第２筒部とからなるスラストころ軸受において、前記軸方向規制部の環状溝内に、その開口を閉塞する環状の蓋部材を嵌合して抜止めした構成を採用したのである。
【００１２】
上記のように、環状板部の内周に形成された軸方向規制部の環状溝内に蓋部材を嵌合して抜止めすることによって、その蓋部材および軸方向規制部を形成する円板部のそれぞれでラジアルころ軸受の軸方向の移動を規制することができる。このため、軸受装置への組付けに際して、組付けの方向性がなく、注意を要することなく容易に組付けを行なうことができる。
【００１３】
ここで、蓋部材は、断面角形のリングであってもよく、環状板部の外周と内周のそれぞれに円筒部が設けられた断面コの字形のリングからなるものであってもよい。あるいは、断面矩形の環状板からなるものであってもよい。この蓋部材は、金属製のプレス成形品からなるものであってもよく、樹脂の成形品からなるものであってもよい。
【００１４】
上記蓋部材は、環状溝内に圧入して抜止めとしてもよく、あるいは、第２筒部の開口端を環状溝内に向けて加締めることにより抜止めとしてもよい。加締めによる抜止めに際しては、第２筒部の開口端の周方向の数か所を加締めるようにしてもよく、第２筒部の開口端の全周を加締めるようにしてもよい。
【００１５】
ここで、圧入による抜止めを採用すると、環状溝を完全密閉することができるため、洗浄液や熱処理での冷却油の浸入を防止することができる。
【発明の効果】
【００１６】
この発明においては、上記のように、環状板部の内周に形成された軸方向規制部の環状溝内に蓋部材を嵌合して抜止めしたことにより、軸方向規制部の円板部と蓋部材のそれぞれでラジアルころ軸受の軸方向への移動を規制することができるため、組付けの方向性のないスラストころ軸受を得ることができる。
【００１７】
また、環状溝が形成された軸方向規制部は、環状板部の内周部を断面コの字状に折り曲げることによって形成されたものであるため、径方向幅寸法に制約を受けることがなく簡単に曲げ成形することができ、軸方向規制部の径方向幅寸法の自由度を高めことができる。また、折曲げも容易であって、その曲げ成形時にトラブルが発生することはなく、保持器の生産性の向上も図ることができる。
【図面の簡単な説明】
【００１８】
【図１】この発明に係るスラストころ軸受の一部分を示す正面図
【図２】（I）は、図１のI−I線に沿った断面図、（II）は、図１のII−II線に沿った断面図
【図３】蓋部材を抜止めする抜止め手段の他の例を示す断面図
【図４】蓋部材の他の例を示す断面図
【図５】蓋部材のさらに他の例を示す断面図
【図６】蓋部材のさらに他の例を示す断面図
【図７】スラストころ軸受を用いた軸受装置の断面図
【発明を実施するための形態】
【００１９】
以下、この発明の実施の形態を図面に基づいて説明する。図１および図２は、この発明に係るスラストころ軸受の実施の形態を示す。図示のように、スラストころ軸受は、複数のころ１と、そのころ１を保持する保持器２とからなる。
【００２０】
保持器２は、金属板からなる環状板部３を有し、その環状板部３に断面コの字状の環状屈曲部４が設けられ、その環状屈曲部４を横切るようにして複数のポケット５が周方向に間隔をおいて形成されている。
【００２１】
複数のポケット５のそれぞれ内部にはころ１が収容されている。また、ポケット５の周方向で対向する側面の両端部と中央部には抜止め爪６が形成され、その抜止め爪６によってころ１がポケット５から抜け出るのが防止されている。
【００２２】
環状板部３の外周部にはフランジ部７が曲げ成形されている。フランジ部７は、環状板部３の外周部を軸方向に向けて折り曲げて内筒部７ａを設け、その内筒部７ａ、の先端部を外径面側に折り返して、内筒部７ａの外径面に重なり合う外筒部７ｂを形成した２重壁からなっている。
【００２３】
また、環状板部３の内周部には、軸方向規制部８が設けられている。軸方向規制部８は、環状板部３の内周部を上記フランジ部７と同方向に向けて折り曲げて第１筒部９を形成し、その第１筒部９の先端部を径方向内方に向けて折り曲げて円板部１０を設け、その円板部１０の内周部を第１筒部９と同方向に向けて折り曲げて第２筒部１１を形成した断面コの字状とされている。
【００２４】
ここで、第１筒部９および第２筒部１１の軸方向長さＬは、環状板部３の一側面と環状屈曲部４の他側面間の幅寸法Ｗにほぼ等しくされて、第２筒部１１の開口端面と環状板部３の一側面はほぼ同一面を形成し、また、円板部１０の他側面は環状屈曲部４の他側面とほぼ同一面を形成している。
【００２５】
第１筒部９と第２筒部１１は、円板部１０の片面側で環状溝１２を形成し、その環状溝１２内に蓋部材１３が嵌合されている。蓋部材１３は、環状溝１２と同形状とされた断面が角形のリングからなり、上記環状溝１２内に圧入されて抜止めされている。その蓋部材１３の組込みによって環状溝１２は、全体が閉塞状態とされている。
【００２６】
ここで、蓋部材１３は、金属製のものであってもよく、合成樹脂の成形品からなるものであってもよい。
【００２７】
上記のように、環状板部３の内周に形成された軸方向規制部８の環状溝１２内に断面が角形のリングからなる蓋部材１３を嵌合して抜止めすることにより、その蓋部材１３および軸方向規制部８を形成する円板部１０のそれぞれで、図７に示すラジアルころ軸受２３の軸方向の移動を規制することができる。
【００２８】
このため、図７に示す軸受装置への組付けに際して、組付けの方向性がなく、注意を要することなく簡単に組付けることができる。
【００２９】
また、環状板部３の内周に形成された軸方向規制部８は、その環状板部３の内周部を断面コの字状に折り曲げることによって形成されたものであるため、径方向幅寸法に制約を受けることがなく曲げ成形することができ、軸方向規制部８の径方向幅寸法Ａの自由度を高めことができる。また、折り曲げに際しても制約を受けることなく容易に折り曲げることができ、その曲げ成形時にトラブルが発生することはなく、保持器２の生産性の向上も図ることができる。
【００３０】
図２では、環状溝１２に蓋部材１３を圧入して抜止めとしたが、抜止めは圧入に限定されるものではない。例えば、図３に示すように、第２筒部１１の開口端部を環状溝１２側に加締め、その加締め片１４で蓋部材１３を抜止めしてもよい。この場合、第２筒部１１の開口端部の周方向の複数個所を加締めるようにしてもよく、全周を加締めるようにしてもよい。
【００３１】
また、図２では、蓋部材１３として、断面が角形のリングからなるものを示したが、蓋部材１３はこれに限定されるものではない。図４および図６は、蓋部材１３の他の例を示している。
【００３２】
図４に示す蓋部材１３は、環状板部１３ａの外周と内周のそれぞれに円筒部１３ｂ、１３ｃを設けた断面コの字形のリングからなっている。図４では、その蓋部材１３を環状溝１２に圧入して抜止めした状態を示し、一方、図５では、第２筒部１１の開口端に形成された加締め片１４によって蓋部材１３を抜止めした状態を示している。
【００３３】
図６に示す蓋部材１３は、断面矩形の環状板からなり、その蓋部材１３を環状溝１２の開口部に圧入して、環状溝１２の開口部を閉塞している。
【００３４】
図４および図６に示す蓋部材１３は、図２に示す蓋部材１３と同様に、金属板のプレス成形品からなるものであってもよく、合成樹脂の成形品からなるものであってもよい。
【符号の説明】
【００３５】
１    ころ
２    保持器
３    環状板部
４    環状屈曲部
５    ポケット
６    抜止め爪
８    軸方向規制部
９    第１筒部
１０  円板部
１１  第２筒部
１２  環状溝
１３  蓋部材
１３ａ  環状板部
１３ｂ  円筒部
１３ｃ  円筒部
【図１】
2013194778.tif 000003
【図２】
2013194778.tif 000004
【図３】
2013194778.tif 000005
【図４】
2013194778.tif 000006
【図５】
2013194778.tif 000007
【図６】
2013194778.tif 000008
【図７】
2013194778.tif 000009